(57)【要約】布類、特に綿をベースとする布類のケア用の組成物であって、水性媒体又は湿った媒体中での該組成物の直接及び／又は間接作業条件下で不溶性のポリマーのナノ粒子又はナノラテックスを含む前記組成物。この組成物は、固体又は液状洗剤配合物、液状濯ぎ及び／若しくは柔軟仕上げ用配合物、ドラム式乾燥機中で湿った織物と接触せしめられるドラム式乾燥機添加剤、水性アイロン掛け用配合物又は洗浄操作の前に乾いた布類上に配置される事前しみ抜き剤であることができる。【特許請求の範囲】
【請求項１】
水性媒体又は湿った媒体中で布類を処理するための組成物中における、水性媒体又は湿った媒体中の前記組成物の作業条件下において不溶性の少なくとも１種のポリマー（Ｐ）から成るナノ粒子又は前記の少なくとも１種のポリマー（Ｐ）の少なくとも１種のナノラテックスの、防しわ剤及び／又はアイロン掛け補助剤としての、使用。
【請求項２】
前記ナノ粒子又は前記ナノラテックスが１０〜５００ｎｍ、好ましくは２０〜３００ｎｍ、特に２０〜１００ｎｍ、さらに特に２０〜５０　ｎｍのポリマー平均粒子寸法を有することを特徴とする、請求項１記載の使用。
【請求項３】
前記のナノラテックスが１０〜５０重量％、好ましくは２０〜４０重量％の固体含有率を有することを特徴とする、請求項２記載の使用。
【請求項４】
前記組成物が
・水中に希釈した後に処理すべき布類と接触せしめられる、固体又は濃厚水性分散体の形；
・水中に希釈する前に処理すべき乾いた布類上に前もって配置される、濃厚分散体の形；
・希釈することなく処理すべき乾いた布類上に直接配置される水性分散体の形、又は処理すべき乾いた布類に直接塗布するための、固体支持体に前記ナノ粒子若しくは前記ナノラテックスを含ませた形；或は
・処理すべき湿った布類と直接接触せしめられる、不溶性固体支持体に前記ナノ粒子又は前記ナノラテックスを含ませた形：
にあることを特徴とする、請求項１〜３のいずれかに記載の使用。
【請求項５】
前記組成物が乾燥重量として表わして０．０５％〜１０％の前記ナノ粒子又は前記ナノラテックスを含むことを特徴とする、請求項１〜４のいずれかに記載の使用。
【請求項６】
前記組成物が
・乾燥重量として表わして０．０５％〜５％、好ましくは０．１％〜３％の前記ナノ粒子又は前記ナノラテックスを含み、希釈することによって洗浄浴を直接形成することができる固体又は液状洗剤配合物；
・乾燥重量として表わして０．０５％〜３％、好ましくは０．１％〜２％の前記ナノ粒子又は前記ナノラテックスを含み、希釈することによって濯ぎ及び／又は柔軟仕上げ浴を直接形成することができる液状濯ぎ及び／又は柔軟仕上げ用配合物；
・乾燥重量として表わして０．０５％〜１０％、好ましくは０．１％〜５％の前記ナノ粒子又は前記ナノラテックスを含み、ドラム式乾燥機中で湿った布類と接触させることが意図される固体材料、特に織物；
・乾燥重量として表わして０．０５％〜１０％、好ましくは０．１％〜５％の前記ナノ粒子又は前記ナノラテックスを含む水性アイロン掛け用配合物；或は
・乾燥重量として表わして０．０５％〜１０％、好ましくは０．１％〜５％の前記ナノ粒子又は前記ナノラテックスを含み、前記ナノ粒子又は前記ナノラテックスを含有する又は含有しない洗剤組成物を用いた洗浄操作の前に乾いた布類上に配置させることが意図される事前しみ抜き剤：
であることを特徴とする、請求項１〜５のいずれかに記載の使用。
【請求項７】
前記ポリマー（Ｐ）が
・前記組成物の作業ｐＨにおいて非荷電の又はイオン化不能な疎水性モノマー単位（Ｎ）、
・随意としての、次のモノマー単位から選択される少なくとも１種の親水性モノマー単位（Ｆ）：
・・（Ｆ１）前記組成物の作業ｐＨにおいてカチオン性又はカチオン化可能なモノマー単位；
・・（Ｆ２）前記組成物の作業ｐＨにおいて両性のモノマー単位；
・・（Ｆ３）前記組成物の作業ｐＨにおいてアニオン性又はアニオン化可能なモノマー単位；
・・（Ｆ４）前記組成物の作業ｐＨにおいて非荷電の又はイオン化不能な親水性のモノマー単位；及び
・・それらの混合物；
並びに
・随意としての少なくとも１種の架橋用単位（Ｒ）：
を含むことを特徴とする、請求項１〜６のいずれかに記載の使用。
【請求項８】
前記モノマー単位（Ｎ）及び（Ｆ）がα，β−一エチレン性不飽和モノマーから誘導されたものであり、且つ、随意としての前記モノマー単位（Ｒ）が二エチレン性不飽和モノマーから誘導されたものであることを特徴とする、請求項７記載の使用。
【請求項９】
前記疎水性単位（Ｎ）がビニル芳香族モノマー、α，β−一エチレン性不飽和酸アルキルエステル、飽和カルボン酸のビニル若しくはアリルエステル、α，β−一エチレン性不飽和ニトリル又はα−オレフィンから誘導されたものであることを特徴とする、請求項７又は８記載の使用。
【請求項１０】
前記のカチオン性又はカチオン化可能な親水性単位（Ｆ１）がα，β−一エチレン性不飽和カルボン酸のＮ，Ｎ−（ジアルキルアミノ−ω−アルキル）アミド、α，β−一エチレン性不飽和酸アミノエステル又は分解による第１アミン官能基の前駆体であるモノマーから誘導されたものであることを特徴とする、請求項７〜９のいずれかに記載の使用。
【請求項１１】
前記両性親水性単位（Ｆ２）がＮ，Ｎ−ジメチル−Ｎ−メタクリロイルオキシエチル−Ｎ−（３−スルホプロピル）アンモニウムスルホベタイン、Ｎ，Ｎ−ジメチル−Ｎ−（２−メタクリルアミドエチル）−Ｎ−（３−スルホプロピル）アンモニウムベタイン、１−ビニル−３−（３−スルホプロピル）イミダゾリジウムベタイン、１−（３−スルホプロピル）−２−ビニルピリジニウムベタイン、又はα，β−エチレン性不飽和カルボン酸Ｎ−（ジアルキルアミノ−ω−アルキル）アミド若しくはα，β−一エチレン性不飽和酸アミノエステルのアルカリ金属クロル酢酸塩若しくはプロパンスルトンによる第四級化反応からの誘導体から誘導されたものであることを特徴とする、請求項７〜１０のいずれかに記載の使用。
【請求項１２】
前記のアニオン性又はアニオン化可能な親水性単位（Ｆ３）が少なくとも１つのカルボキシル官能基を含有するα，β−一エチレン性不飽和モノマー、少なくとも１つのサルフェート若しくはスルホネート官能基を含有するα，β−一エチレン性不飽和モノマー、少なくとも１つのホスホネート若しくはホスフェート官能基を含有するα，β−一エチレン性不飽和モノマー、又は加水分解によってカルボキシル官能基を生じる前駆体であるα，β−一エチレン性不飽和モノマーから誘導されたものであることを特徴とする、請求項７〜１１のいずれかに記載の使用。
【請求項１３】
前記の非荷電の又はイオン化不能な親水性単位（Ｆ４）がα，β−一エチレン性不飽和酸のヒドロキシアルキルエステル、α，β−一エチレン性不飽和酸アミド、水溶性ポリオキシアルキレン化セグメントを有するα，β−一エチレン性不飽和モノマー、重合及び続いての加水分解によってビニルアルコール単位若しくはポリビニルアルコールセグメントを生じる前駆体であるα，β−一エチレン性不飽和モノマー、又はメタクリルアミドエチル−２−イミダゾリジノンから誘導されたものであることを特徴とする、請求項７〜１２のいずれかに記載の使用。
【請求項１４】
架橋用単位（Ｒ）ジビニルベンゼン、エチレングリコールジメタクリレート、メタクリル酸アリル、メチレンビス（アクリルアミド）、グリオキサールビス（アクリルアミド）又はブタジエンから誘導されたものであることを特徴とする、請求項７〜１３のいずれかに記載の使用。
【請求項１５】
ポリマー（Ｐ）の単位（Ｎ）、（Ｆ）及び（Ｒ）が誘導されるモノマー及びそれらの相対量が、そのポリマー（Ｐ）が−４０℃〜１５０℃、好ましくは−４０〜１００℃、特に−４０〜４０℃のガラス転移温度を有し且つ前記組成物の作業条件下において不溶性のままとなるように選択されることを特徴とする、請求項７〜１４のいずれかに記載の使用。
【請求項１６】
前記ポリマー（Ｐ）の総質量の少なくとも７０％が疎水性単位（Ｎ）から成ること、並びに親水性単位（Ｆ）がポリマー（Ｐ）の総質量の３０％以下を占め且つ架橋用単位（Ｒ）がポリマー（Ｐ）の総質量の２０％以下、好ましくは１０％以下、特に好ましくは５％以下を占めることを特徴とする、請求項７〜１５のいずれかに記載の使用。
【請求項１７】
前記ポリマー（Ｐ）が
・疎水性モノマー単位（Ｎ）少なくとも７０重量％；
・随意としての非荷電の又はイオン化不能な親水性モノマー単位（Ｆ４）少なくとも１重量％、好ましくは３〜３０重量％；
・随意としての非荷電の又はイオン化不能な架橋用単位（Ｒ）２０重量％以下、好ましくは１０重量％以下：
を含む非荷電の又はイオン化不能なポリマー（Ｐ１）であることを特徴とする、請求項１６記載の使用。
【請求項１８】
洗剤配合物、濯ぎ及び／若しくは柔軟仕上げ用配合物、ドラム式乾燥機添加剤、水性アイロン掛け用配合物又は事前しみ抜き剤中における、請求項１７記載の使用。
【請求項１９】
前記ポリマー（Ｐ）が
・疎水性モノマー単位（Ｎ）少なくとも７０重量％；
・アニオン性又はアニオン化可能な親水性モノマー単位（Ｆ３）少なくとも１重量％、好ましくは３〜３０重量％、特に好ましくは１〜２０重量％；
・随意としての非荷電の又はイオン化不能な親水性モノマー単位（Ｆ４）２９重量％以下：
を含む、アニオン性又はアニオン化可能な単位を含有ししかしカチオン性又はカチオン化可能な単位を含有しないポリマー（Ｐ２）であることを特徴とする、請求項１６記載の使用。
【請求項２０】
洗剤配合物、ドラム式乾燥機添加剤、水性アイロン掛け用配合物又は事前しみ抜き剤中における、請求項１９記載の使用。
【請求項２１】
前記ポリマー（Ｐ）が
・疎水性モノマー単位（Ｎ）少なくとも７０重量％；
・両性親水性モノマー単位（Ｆ２）少なくとも０．１重量％、好ましくは２０重量％以下、特に好ましくは１０重量％以下；
・随意としての非荷電の又はイオン化不能な親水性モノマー単位（Ｆ４）；
・随意としてのカチオン性又はカチオン化可能な親水性モノマー単位（Ｆ１）：
を含む両性単位含有ポリマー（Ｐ３）であり、好ましくは前記の親水性モノマー単位（Ｆ）群が組合せとしてポリマー（Ｐ３）の少なくとも１重量％を占め、カチオン電荷対アニオン電荷のモル比が所望の処理用組成物に応じて１／９９〜８０／２０の範囲であることを特徴とする、請求項１６記載の使用。
【請求項２２】
前記ポリマーのカチオン電荷対アニオン電荷のモル比が１／９９〜８０／２０の範囲である場合の、ドラム式乾燥機添加剤又は水性アイロン掛け用配合物中における、請求項２１記載の使用。
【請求項２３】
前記ポリマーのカチオン電荷対アニオン電荷のモル比が１／９９〜６０／４０の範囲、好ましくは５／９５〜５０／５０の範囲である場合の、洗剤配合物、事前しみ抜き剤、ドラム式乾燥機添加剤又は水性アイロン掛け用配合物中における、請求項２１記載の使用。
【請求項２４】
前記ポリマー（Ｐ）が
・疎水性モノマー単位（Ｎ）少なくとも７０重量％；
・カチオン性又はカチオン化可能な親水性モノマー単位（Ｆ１）；
・アニオン性又はアニオン化可能な親水性モノマー単位（Ｆ３）；
・随意としての両性親水性モノマー単位（Ｆ２）；
・随意としての非荷電の又はイオン化不能な親水性モノマー単位（Ｆ４）：
を含む、カチオン性又はカチオン化可能な単位及びアニオン性又はアニオン化可能な単位の両方を含有するポリマー（Ｐ４）であり、好ましくは前記の親水性モノマー単位（Ｆ）群が組合せとしてポリマー（Ｐ４）の少なくとも１重量％を占め、カチオン電荷対アニオン電荷のモル比が所望の処理用組成物に応じて１／９９〜８０／２０の範囲であることを特徴とする、請求項１６記載の使用。
【請求項２５】
前記ポリマーのカチオン電荷対アニオン電荷のモル比が１／９９〜８０／２０の範囲である場合の、ドラム式乾燥機添加剤又は水性アイロン掛け用配合物中における、請求項２４記載の使用。
【請求項２６】
前記ポリマーのカチオン電荷対アニオン電荷のモル比が１／９９〜６０／４０の範囲、好ましくは５／９５〜５０／５０の範囲である場合の、洗剤配合物、事前しみ抜き剤、ドラム式乾燥機添加剤又は水性アイロン掛け用配合物中における、請求項２４記載の使用。
【請求項２７】
前記ポリマー（Ｐ）が
・疎水性モノマー単位（Ｎ）少なくとも７０重量％；
・カチオン性又はカチオン化可能な親水性モノマー単位（Ｆ１）少なくとも１重量％、好ましくは３〜３０重量％、特に好ましくは１〜１０重量％；
・随意としての非荷電の又はイオン化不能な親水性モノマー単位（Ｆ４）２０重量％以下：
を含む、カチオン性又はカチオン化可能な単位を含有ししかしアニオン性又はアニオン化可能な単位を含有しないポリマー（Ｐ５）であることを特徴とする、請求項１６記載の使用。
【請求項２８】
洗剤配合物、濯ぎ及び／若しくは柔軟仕上げ用配合物、ドラム式乾燥機添加剤、水性アイロン掛け用配合物又は事前しみ抜き剤中における、請求項２７記載の使用。
【請求項２９】
請求項１〜２８のいずれかに記載の少なくとも１種のポリマー（Ｐ）のナノ粒子又は該ポリマー（Ｐ）の少なくとも１種のナノラテックスを含む組成物を用いて水性媒体又は湿った媒体中で布類を処理することによる、布類に防しわ特性を与えるため及び／又は布類のアイロン掛けを容易にするための方法。
【請求項３０】
請求項２１記載のポリマー（Ｐ３）から選択される少なくとも１種のポリマー（Ｐ）のナノ粒子又は少なくとも１種の該ポリマー（Ｐ）の少なくとも１種のナノラテックスを含む、布類のアイロン掛け用の水性配合物。
【請求項３１】
請求項２１記載のポリマー（Ｐ３）から選択される少なくとも１種のポリマー（Ｐ）のナノ粒子又は少なくとも１種の該ポリマー（Ｐ）の少なくとも１種のナノラテックスを含む、布類用のドラム式乾燥機添加剤。
【請求項３２】
請求項２３記載のポリマー（Ｐ３）から選択される少なくとも１種のポリマー（Ｐ）のナノ粒子又は少なくとも１種の該ポリマー（Ｐ）の少なくとも１種のナノラテックスを含む、布類洗浄用の洗剤配合物。
【請求項３３】
請求項２３記載のポリマー（Ｐ３）から選択される少なくとも１種のポリマー（Ｐ）のナノ粒子又は少なくとも１種の該ポリマー（Ｐ）の少なくとも１種のナノラテックスを含む、布類用事前しみ抜き剤。
【発明の詳細な説明】
【０００１】
本発明は、布類（ｌｉｎｇｅ）の処理用、特に綿をベースとする布類の処理用の組成物中に、防しわ剤又は布類アイロン掛け補助剤として、水性媒体又は湿った媒体中での前記組成物の直接及び／又は間接作業条件下において不溶性のポリマーのナノ粒子又はナノラテックスを使用することに関する。
【０００２】
繊維や繊維質織物物品（カーペット、生地）を使用する前にポリスチレン又はスチレンと（メタ）アクリル酸エステル又は（メタ）アクリル酸とのコポリマーのラテックスを含む組成物（乳化剤としてベタインを含む）を用いて前処理する（パッディング、スプレー又はブラシ掛け）ことが知られている（フランス国特許第１４１６８１３号明細書）。この前処理の目的は、物品の汚染を防止又は減少させ、艶消し仕上げを導入することである。
【０００３】
また、液状洗剤組成物中にフェルト状化防止剤としてノニオン性モノマー並びに随意としてのカチオン性及び／又はアニオン性モノマーから誘導されるノニオン性ポリマー又はコポリマーのラテックスを用いることも提唱されている（米国特許第４７４６４５５号明細書）。
【０００４】
また、スチレンとノニオン性及びアニオン性モノマーとの架橋したコポリマーのラテックスも、液状洗剤組成物不透明化剤として知られている（米国特許第３３４０２１７号明細書）。
【０００５】
洗濯機中でのクリーニングには遠心乾燥（脱水）操作が伴われ、そのせいで布類がしわになり、これはドラム乾燥段階の際に特に繊維内水素結合が形成することによってさらに悪化する。従って、布類を見苦しくない外観にするためには、布類をアイロン掛けすることが必要である。
【０００６】
本発明者らは、布類の処理用、特に綿をベースとする布類の処理用の組成物中に不溶性のポリマーのナノ粒子又はナノラテックスを使用することによって、それらに防しわ特性が付与され、それらのアイロン掛けが容易になるということを見出した。
【０００７】
かかる組成物は、布類を洗浄及び／若しくは濯ぎ及び／若しくは柔軟仕上げするための組成物、洗浄する前に布類のしみ抜きをするための（「事前しみ抜き」）組成物、湿った布類をドラム式乾燥機中で乾燥させるための組成物又は布類をアイロン掛けするための組成物であることができる。
【０００８】
本発明に従えば、「ポリマーナノ粒子」という表現は、約１０〜５００ｎｍ、好ましくは２０〜３００ｎｍ、特に２０〜１００ｎｍ、さらにより一層特定的には２０〜５０ｎｍの直径を有する粒子を意味するものとする。
【０００９】
「ポリマーナノラテックス」という表現は、平均寸法約１０〜５００ｎｍ、好ましくは２０〜３００ｎｍ、特に２０〜１００ｎｍ、さらにより一層特定的には２０〜５０ｎｍの固体ポリマーナノ粒子の安定な水性分散体を意味するものとする。かかる分散体は、一般的に約１０〜５０重量％、好ましくは約２０〜４０重量％の固体含有率を有する。
【００１０】
本発明の第１の主題は、水性媒体又は湿った媒体中での布類の処理用の組成物中に、防しわ剤及び／又は布類アイロン掛け補助剤として、水性媒体又は湿った媒体中での前記組成物の作業条件（使用条件）下において不溶性の少なくとも１種のポリマー（Ｐ）から成るナノ粒子又は前記の少なくとも１種のポリマー（Ｐ）の少なくとも１種のナノラテックスを使用することに関する。
【００１１】
本発明の第２の主題は、水性媒体又は湿った媒体中に不溶性の少なくとも１種のポリマー（Ｐ）から成るナノ粒子又は前記の少なくとも１種のポリマー（Ｐ）の少なくとも１種のナノラテックスを含む組成物を水性媒体又は湿った媒体中で用いて布類を処理することによる、布類に防しわ特性を与えるため及び／又は布類のアイロン掛けを容易にするための方法から成る。
【００１２】
前記組成物及び作業（処理）条件は、数多くの形にあることができる。
【００１３】
前記組成物は、
・水中に希釈した後に処理すべき布類と接触せしめられる、固体（粉末、グラニュール、タブレッド等）又は濃厚水性分散体の形；
・水中に希釈する前に処理すべき乾いた布類上に前もって配置される、濃厚分散体の形；
・希釈することなく処理すべき乾いた布類上に直接配置される水性分散体の形、又は処理すべき乾いた布類に直接塗布するための、固体支持体（スティック）に前記ナノ粒子若しくは前記ナノラテックスを含ませた形；或は
・処理すべき湿った布類と直接接触せしめられる、不溶性固体支持体にポリマー（Ｐ）の前記ナノ粒子又は前記ナノラテックスを含ませた形：
にあることができる。
【００１４】
かくして、本発明に従う組成物は、次のものであることができる：
・希釈することによって洗浄浴を直接形成することができる固体又は液状洗剤配合物；
・希釈することによって濯ぎ及び／又は柔軟仕上げ浴を直接形成することができる液状濯ぎ及び／又は柔軟仕上げ用配合物；
・ドラム式乾燥機中で湿った布類と接触させることが意図される、前記ナノ粒子又は前記ナノラテックスを含む固体材料、特に織物（この固体材料を以下においては「ドラム式乾燥機添加剤」と言う）；
・水性アイロン掛け用配合物；
・前記ナノ粒子又は前記ナノラテックスを含有する又は含有しない洗剤配合物を用いた洗浄操作の前に乾いた布類上に配置させることが意図される洗浄用添加剤（「事前しみ抜き剤（プレスポッター）」）（この添加剤を以下においては「事前しみ抜き剤」（洗濯機添加剤）と言う）。
【００１５】
本発明に従う組成物は、布類の処理、特に綿をベースとする布類、特に綿を少なくとも３５％含有する布類の処理に、特に好適である。
【００１６】
前記ポリマー（Ｐ）は、約−４０℃〜１５０℃、好ましくは約−４０℃〜１００℃、特に約−４０℃〜４０℃のガラス転移温度Ｔｇを有しているのが好ましい。
【００１７】
用語「ポリマー」とは、ホモポリマー及び２種以上のモノマーから誘導されるコポリマーのどちらをも意味する。
【００１８】
本発明の良好な実施のためには、前記ポリマー（Ｐ）は、次のものを含む：
・本発明の組成物の作業ｐＨにおいて非荷電の又はイオン化不能な疎水性モノマー単位（Ｎ）、
・随意としての、次のモノマー単位から選択される少なくとも１種の親水性モノマー単位（Ｆ）：
・・（Ｆ１）前記組成物の作業ｐＨにおいてカチオン性又はカチオン化可能なモノマー単位；
・・（Ｆ２）前記組成物の作業ｐＨにおいて両性のモノマー単位；
・・（Ｆ３）前記組成物の作業ｐＨにおいてアニオン性又はアニオン化可能なモノマー単位；
・・（Ｆ４）前記組成物の作業ｐＨにおいて非荷電の又はイオン化不能な親水性のモノマー単位；及び
・・それらの混合物：
並びに
・随意としての少なくとも１種の架橋用単位（Ｒ）。
【００１９】
前記モノマー単位（Ｎ）及び（Ｆ）は、α，β−一エチレン性不飽和モノマーから誘導されるものであるのが好ましい。
【００２０】
前記モノマー単位（Ｒ）は、二エチレン性不飽和モノマーから誘導されるものであるのが好ましい。
【００２１】
前記ポリマーの平均分子量（ＴＨＦゲル透過クロマトグラフィー（ＧＰＣ）によって測定、ポリスチレン当量として表わされる）は、好ましくは少なくとも２００００であることができる。
【００２２】
疎水性単位（Ｎ）が誘導されるモノマーの例としては、次のものを挙げることができる：
・ビニル芳香族モノマー、例えばスチレン、ビニルトルエン等、
・α，β−一エチレン性不飽和酸エステル、例えばアクリル酸又はメタクリル酸直鎖状又は分枝鎖状Ｃ１〜Ｃ１０アルキル、例えばアクリル酸又はメタクリル酸メチル、エチル、ブチル、イソブチル、ヘプチル、ノニル等、
・飽和カルボン酸のビニル又はアリルエステル、例えば酢酸若しくはプロピオン酸ビニル若しくはアリル又はビニル若しくはアリルベルサテート（ｖｅｒｓａｔａｔｅ）、
・α，β−一エチレン性不飽和ニトリル、例えばアクリロニトリル等、
・α−オレフィン、例えばエチレン等。
【００２３】
カチオン性又はカチオン化可能な親水性単位（Ｆ１）が誘導されるモノマーの例としては、次のものを挙げることができる：
・α，β−一エチレン性不飽和カルボン酸のＮ，Ｎ−（ジアルキルアミノ−ω−アルキル）アミド、例えばＮ，Ｎ−ジメチルアミノメチルアクリルアミド又はメタクリルアミド、Ｎ，Ｎ−ジメチルアミノエチルアクリルアミド又はメタクリルアミド、Ｎ，Ｎ−ジメチルアミノ−３−プロピルアクリルアミド又はメタクリルアミド及びＮ，Ｎ−ジメチルアミノブチルアクリルアミド又はメタクリルアミド、
・α，β−一エチレン性不飽和酸アミノエステル、例えばメタクリル酸ジメチルアミノエチル（ＤＭＡＭ）、メタクリル酸ジメチルアミノプロピル、メタクリル酸ジ−ｔ−ブチルアミノエチル又はメタクリル酸ジペンチルアミノエチル、
・アミン官能基の前駆体であり、簡単な酸又は塩基加水分解によって第１アミン官能基を生じるモノマー、例えばＮ−ビニルホルムアミド、Ｎ−ビニルアセトアミド等。
【００２４】
両性親水性単位（Ｆ２）が誘導されるモノマーの例としては、次のものを挙げることができる：
・Ｎ，Ｎ−ジメチル−Ｎ−メタクリロイルオキシエチル−Ｎ−（３−スルホプロピル）アンモニウムスルホベタイン（ＲａｓｃｈｉｇからのＳＰＥ）、Ｎ，Ｎ−ジメチル−Ｎ−（２−メタクリルアミドエチル）−Ｎ−（３−スルホプロピル）アンモニウムベタイン（ＲａｓｃｈｉｇからのＳＰＰ）、１−ビニル−３−（３−スルホプロピル）イミダゾリジウムベタイン又は１−（３−スルホプロピル）−２−ビニルピリジニウムベタイン（ＲａｓｃｈｉｇからのＳＰＶ）、
・α，β−エチレン性不飽和カルボン酸のＮ−（ジアルキルアミノ−ω−アルキル）アミド（例えばＮ，Ｎ−ジメチルアミノメチルアクリルアミド若しくはメタクリルアミド、Ｎ，Ｎ−ジメチルアミノ−３−プロピルアクリルアミド若しくはメタクリルアミド）又はエチレン性不飽和酸アミノエステル（例えばメタクリル酸ジ−ｔ−ブチルアミノエチル若しくはメタクリル酸ジペンチルアミノエチル）の、アルカリ金属（特にナトリウム）クロル酢酸塩又はプロパンスルトンによる第四級化反応の誘導体。
【００２５】
アニオン性又はアニオン化可能な親水性単位（Ｆ３）が誘導されるモノマーの例としては、次のものを挙げることができる：
・少なくとも１つのカルボキシル官能基を含有するモノマー、例えばα，β−エチレン性不飽和カルボン酸若しくは酸無水物、アクリル酸、メタクリル酸、マレイン酸、フマル酸若しくはイタコン酸若しくは酸無水物、Ｎ−メタクリロイルアラニン又はＮ−アクリロイルヒドロキシグリシン及びそれらの水溶性塩、
・少なくとも１つのサルフェート又はスルホネート官能基を含有するモノマー、例えば２−スルホオキシエチルメタクリレート、ビニルベンゼンスルホン酸、アリルスルホン酸、２−アクリルアミド−２−メチルプロパンスルホン酸、スルホエチルアクリレート若しくはメタクリレート、又はスルホプロピルアクリレート若しくはメタクリレート、及びそれらの水溶性塩、
・少なくとも１つのホスホネート又はホスフェート官能基を含有するモノマー、例えばビニルホスホン酸、エチレン性不飽和リン酸エステル、例えばメタクリル酸ヒドロキシエチルから誘導されるリン酸エステル（ＲｈｏｄｉａからのＥｍｐｉｃｒｙｌ ６８３５）及びポリオキシアルキレンメタクリレートから誘導されるもの並びにそれらの水溶性塩、
・アニオン性官能基の前駆体であるα，β−一エチレン性不飽和モノマー、例えば加水分解によってカルボキシレート官能基を生じるもの（アクリル酸ｔ−ブチル、アクリル酸ジメチルアミノエチル、無水マレイン酸等）。
【００２６】
非荷電の又はイオン化不能な親水性単位（Ｆ４）が誘導されるモノマーの例としては、次のものを挙げることができる：
・α，β−エチレン性不飽和酸のヒドロキシアルキルエステル、例えばアクリル酸又はメタクリル酸ヒドロキシエチル又はヒドロキシプロピル等、
・α，β−エチレン性不飽和酸アミド、例えばアクリルアミド、Ｎ，Ｎ−ジメチルメタクリルアミド、Ｎ−メチロールアクリルアミド等、
・ポリエチレンオキシドタイプの水溶性ポリオキシアルキレン化セグメントを有するα，β−エチレン性不飽和モノマー、例えばポリエチレンオキシドα−メタクリレート（ＬａｐｏｒｔｅからのＢｉｓｏｍｅｒ Ｓ２０Ｗ、Ｓ１０Ｗ等）又はα，ω−ジメタクリレート類、ＲｈｏｄｉａからのＳｉｐｏｍｅｒ ＢＥＭ（ポリオキシエチレン−ω−ベヘニルメタクリレート）、ＲｈｏｄｉａからのＳｉｐｏｍｅｒ ＳＥＭ−２５（ポリオキシエチレン−ω−トリスチリルフェニルメタクリレート）等、
・親水性単位又はセグメントの前駆体であるα，β−エチレン性不飽和モノマー、例えば酢酸ビニル（重合させると加水分解してビニルアルコール単位又はポリビニルアルコールセグメントを生じることができるもの）、
・ウレイドタイプのα，β−エチレン性不飽和モノマー、特にメタクリルアミドエチル−２−イミダゾリジノン（ＲｈｏｄｉａからのＳｉｐｏｍｅｒ ＷＡＭ ＩＩ）。
【００２７】
架橋用単位（Ｒ）が誘導されるモノマーの例としては、次のものを挙げることができる：
・ジビニルベンゼン
・エチレングリコールジメタクリレート
・メタクリル酸アリル
・メチレンビス（アクリルアミド）
・グリオキサールビス（アクリルアミド）
・ブタジエン。
【００２８】
前記ポリマー（Ｐ）は、既知の態様でエチレン性不飽和モノマーを水性媒体中でフリーラジカル重合させることによって得ることができる。前記ナノラテックスは、特に水中でのフリーラジカル乳化重合によって得ることができる。
【００２９】
直径が小さいナノ粒子ラテックスを得るための方法は、Ｃｏｌｌｏｉｄ Ｐｏｌｙｍ． Ｓｃｉ． ２６６：４６２−４６９（１９８８）及びＪｏｕｒｎａｌ ｏｆ Ｃｏｌｌｏｉｄ ａｎｄ Ｉｎｔｅｒｆａｃｅ Ｓｃｉｅｎｃｅ． Ｖｏｌ． ８９、Ｎｏ． １、１９８２年９月、第１８５頁〜に記載されている。平均寸法が１００ｎｍより小さい、特に１〜６０ｎｍの範囲、さらに特に５〜４０ｎｍの範囲である粒子のラテックスを調製するための１つの方法は、ヨーロッパ特許公開第６４４２０５号公報に記載されている。
【００３０】
ポリマー（Ｐ）の単位（Ｎ）、（Ｆ）及び（Ｒ）が誘導されるモノマー及び相対量は、そのポリマー（Ｐ）が約−４０℃〜１５０℃、好ましくは約−４０〜１００℃、特に約−４０〜４０℃のガラス転移温度を有し且つ本発明の組成物の作業条件下において不溶性のままとなるように選択される。
【００３１】
本発明に従えば、前記ポリマー（Ｐ）は、本発明の組成物が用いられる水性媒体又は湿った媒体中で、特にこの媒体の温度及びｐＨ条件下において、１５重量％未満、好ましくは１０重量％未満しか可溶ではない場合に、不溶性であると見なす。
【００３２】
本発明に従う組成物の作業ｐＨは、望まれる用途に応じて約２〜約１２の範囲であることができる。
【００３３】
その用途が
・洗剤配合物である場合、洗浄浴のｐＨは約７〜１１の範囲であるのが一般的であり、８〜１０．５の範囲であるのが好ましい；
・濯ぎ及び／又は柔軟仕上げ用配合物である場合、濯ぎ及び／又は柔軟仕上げ浴のｐＨは約２〜８であるのが一般的である；
・ドラム式乾燥機添加剤である場合、残留水のｐＨを対象として、約２〜９であることができる；
・水性アイロン掛け用配合物である場合、その配合物のｐＨは一般的に約５〜９である；
・事前しみ抜き剤である場合、続いての洗浄操作のための洗浄浴のｐＨを対象として、約７〜１１、好ましくは８〜１０．５である。
【００３４】
本発明の良好な実施のためには、前記ポリマー（Ｐ）の総質量の少なくとも７０％が疎水性単位（Ｎ）から成る。
【００３５】
親水性単位（Ｆ）が存在する場合、それらはポリマー（Ｐ）の総質量の３０％を超えないのが好ましい。
【００３６】
架橋用単位（Ｒ）が存在する場合、それらはポリマー（Ｐ）の総質量の２０％を超えないのが一般的であり、１０％を超えないのが好ましく、５％を超えないのが特に好ましい。
【００３７】
本発明の第１の具体例は、
・疎水性モノマー単位（Ｎ）少なくとも７０重量％；
・随意としての非荷電の又はイオン化不能な親水性モノマー単位（Ｆ４）少なくとも１重量％；
・随意としての非荷電の又はイオン化不能な架橋用単位（Ｒ）２０重量％以下：
を含む少なくとも１種の非荷電の又はイオン化不能なポリマー（Ｐ１）のナノ粒子又は少なくとも１種のナノラテックスを組成物（Ｃ１）中に使用することから成る。
【００３８】
この第１の具体例に従えば、前記の非荷電の又はイオン化不能なポリマー（Ｐ１）は、
・疎水性モノマー単位（Ｎ）少なくとも７０重量％；
・非荷電の又はイオン化不能な親水性モノマー単位（Ｆ４）３〜３０重量％；
・随意としての非荷電の又はイオン化不能な架橋用単位（Ｒ）２０重量％以下、好ましくは１０重量％以下：
を含むのが好ましい。
【００３９】
前記の非荷電の又はイオン化不能なポリマー（Ｐ１）は、作業ｐＨが２〜１２の範囲であることができる上に挙げた任意のタイプの布類ケア用組成物、即ち洗剤配合物、濯ぎ及び／若しくは柔軟仕上げ用配合物、ドラム式乾燥機添加剤、水性アイロン掛け用配合物又は事前しみ抜き剤中に用いることができる。
【００４０】
本発明の第２の具体例は、
・疎水性モノマー単位（Ｎ）少なくとも７０重量％；
・アニオン性又はアニオン化可能な親水性モノマー単位（Ｆ３）少なくとも１重量％、好ましくは３〜３０重量％、特に好ましくは１〜２０重量％；
・随意としての非荷電の又はイオン化不能な親水性モノマー単位（Ｆ４）２９重量％以下：
を含む、アニオン性又はアニオン化可能な単位を含有ししかしカチオン性又はカチオン化可能な単位を含有しない少なくとも１種のポリマー（Ｐ２）のナノ粒子又は少なくとも１種のナノラテックスを組成物（Ｃ２）中に使用することから成る。
【００４１】
前記のポリマー（Ｐ２）は、非カチオン性状の布類ケア用組成物、即ち洗剤配合物、ドラム式乾燥機添加剤、水性アイロン掛け用配合物又は事前しみ抜き剤中に用いることができる。
【００４２】
本発明の第３の具体例は、
・疎水性モノマー単位（Ｎ）少なくとも７０重量％；
・両性親水性モノマー単位（Ｆ２）少なくとも０．１重量％、好ましくは２０重量％以下、特に好ましくは１０重量％以下；
・随意としての非荷電の又はイオン化不能な親水性モノマー単位（Ｆ４）；
・随意としてのカチオン性又はカチオン化可能な親水性モノマー単位（Ｆ１）：
を含む、少なくとも１種の両性単位含有ポリマー（Ｐ３）のナノ粒子又は少なくとも１種のナノラテックスを組成物（Ｃ３）中に使用することから成り、これらの親水性モノマー単位（Ｆ）群は組合せとしてポリマー（Ｐ３）の少なくとも１重量％を占めるのが好ましく、カチオン電荷対アニオン電荷のモル比は所望の処理用組成物に応じて１／９９〜８０／２０の範囲であることができる。
【００４３】
カチオン電荷対アニオン電荷のモル比が１／９９〜８０／２０の範囲である前記のポリマー（Ｐ３）は、ドラム式乾燥機添加剤及び水性アイロン掛け用配合物中に用いることができる。
【００４４】
また、カチオン電荷対アニオン電荷のモル比が１／９９〜６０／４０の範囲、好ましくは５／９５〜５０／５０の範囲である前記のポリマー（Ｐ３）は、洗剤配合物及び事前しみ抜き剤中に用いることもできる。
【００４５】
本発明の第４の具体例は、
・疎水性モノマー単位（Ｎ）少なくとも７０重量％；
・カチオン性又はカチオン化可能な親水性モノマー単位（Ｆ１）；
・アニオン性又はアニオン化可能な親水性モノマー単位（Ｆ３）；
・随意としての両性親水性モノマー単位（Ｆ２）；
・随意としての非荷電の又はイオン化不能な親水性モノマー単位（Ｆ４）：
を含む、カチオン性又はカチオン化可能な単位及びアニオン性又はアニオン化可能な単位の両方を含有する少なくとも１種のポリマー（Ｐ４）のナノ粒子又は少なくとも１種のナノラテックスを組成物（Ｃ４）中に用いることから成り、これらの親水性モノマー単位（Ｆ）群は組合せとしてポリマー（Ｐ４）の少なくとも１重量％を占めるのが好ましく、カチオン電荷対アニオン電荷のモル比は所望の処理用組成物に応じて１／９９〜８０／２０の範囲であることができる。
【００４６】
カチオン電荷対アニオン電荷のモル比が１／９９〜８０／２０の範囲である前記のポリマー（Ｐ４）は、ドラム式乾燥機添加剤及び水性アイロン掛け用配合物中に用いることができる。
【００４７】
また、カチオン電荷対アニオン電荷のモル比が１／９９〜６０／４０の範囲、好ましくは５／９５〜５０／５０の範囲である前記のポリマー（Ｐ４）は、洗剤配合物及び事前しみ抜き剤中に用いることもできる。
【００４８】
本発明の第５の具体例は、
・疎水性モノマー単位（Ｎ）少なくとも７０重量％；
・カチオン性又はカチオン化可能な親水性モノマー単位（Ｆ１）少なくとも１重量％、好ましくは３〜３０重量％、特に好ましくは１〜１０重量％；
・随意としての非荷電の又はイオン化不能な親水性モノマー単位（Ｆ４）２０重量％以下：
を含む、カチオン性又はカチオン化可能な単位を含有ししかしアニオン性又はアニオン化可能な単位を含有しない少なくとも１種のポリマー（Ｐ５）のナノ粒子又は少なくとも１種のナノラテックスを組成物（Ｃ５）中に使用することから成る。
【００４９】
前記のポリマー（Ｐ５）は、作業ｐＨが２〜１２の範囲であることができる上に挙げた任意のタイプの布類ケア用組成物、即ち洗剤配合物、濯ぎ及び／若しくは柔軟仕上げ用配合物、ドラム式乾燥機添加剤、水性アイロン掛け用配合物又は事前しみ抜き剤中に用いることができる。
【００５０】
特に好ましい態様において、組成物（Ｃ５）は洗剤組成物であり、前記モノマー単位（Ｆ１）はｐＫａが１１未満、好ましくは１０．５未満である少なくとも１種のカチオン化可能なモノマーから誘導されるカチオン化可能な単位である。
【００５１】
ポリマー（Ｐ）のナノ粒子又はナノラテックスの例としては、特に次のものから誘導される単位を含有するコポリマーのナノ粒子又はナノラテックスを挙げることができる：
・メタクリル酸メチル／アクリル酸ブチル／メタクリル酸ヒドロキシエチル／メタクリル酸
（そのガラス転移温度Ｔｇは、そのポリマーの組成に応じて１０℃〜８０℃の範囲であることができる）；
・メタクリル酸メチル／エチレングリコールジメタクリレート／メタクリル酸
（そのガラス転移温度Ｔｇは、そのポリマーの組成に応じて１０℃〜８０℃の範囲であることができる）；
・スチレン／ジビニルベンゼン／メタクリル酸
（そのガラス転移温度Ｔｇは、そのポリマーの組成に応じて１００℃〜１４０℃の範囲であることができる）；
・スチレン／アクリル酸ブチル／メタクリル酸ヒドロキシエチル／メタクリル酸（そのガラス転移温度Ｔｇは、そのポリマーの組成に応じて１０℃〜８０℃の範囲であることができる）；
・Ｖｅｏｖａ １０（ビニルＣ１０ベルサテート）／メタクリル酸メチル／アクリル酸ブチル／メタクリル酸
（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／Ｎ，Ｎ−ジメチル−Ｎ−メタクリロイルオキシエチル−Ｎ−（３−スルホプロピル）アンモニウムスルホベタイン（ＲａｓｃｈｉｇからのＳＰＥ）
（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／ビニルホスホン酸（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／ＲｈｏｄｉａからのＥｍｐｉｃｒｙｌ ６８３５（そのガラス転移温度Ｔｇは、そのポリマーの組成に応じて１０℃〜８０℃の範囲であることができる）；
・スチレン／ブタジエン／アクリル酸（そのガラス転移温度Ｔｇは、そのポリマーの組成に応じて−４０℃〜１０℃の範囲であることができる）；
・アクリル酸ブチル／メタクリル酸（そのガラス転移温度Ｔｇは、そのポリマーの組成に応じて−４０℃〜１０℃の範囲であることができる）。
【００５２】
本発明に従えば、処理用組成物中に用いられるポリマー（Ｐ）のナノ粒子又はナノラテックスの量は、所望の用途に応じて組成物の乾燥重量に対する乾燥重量として、０．０５％〜１０％の範囲であることができる。
【００５３】
かくして、前記のポリマー（Ｐ）は、次のように用いることができる。
【表１】
2004512431.tif 000002
【００５４】
処理用組成物中には、ポリマー（Ｐ）のナノ粒子又はナノラテックスと共に、他の成分を存在させることもできる。これらの成分の性状は、その組成物に望まれる用途に依存する。
【００５５】
かくして、布類を洗浄するための洗剤配合物の場合には、
・少なくとも１種の天然及び／又は合成界面活性剤、
・少なくとも１種の洗浄補助剤（「ビルダー」）、
・随意としての酸化剤又は系、並びに
・一連の特定の添加剤
を含ませるのが一般的である。
【００５６】
洗剤配合物には、洗剤配合物に対して約３重量％〜４０重量％に相当する量で界面活性剤を含ませることができ、これらの界面活性剤は、以下のようなものである。
【００５７】
アニオン性界面活性剤
・式Ｒ−ＣＨ（ＳＯ３Ｍ）−ＣＯＯＲ’のアルキルエステルスルホネート
｛ここで、ＲはＣ８〜Ｃ２０、好ましくはＣ１０〜Ｃ１６アルキル基を表わし、
Ｒ’はＣ１〜Ｃ６、好ましくはＣ１〜Ｃ３アルキル基を表わし、
Ｍはアルカリ金属（特にナトリウム、カリウム及びリチウム）カチオン、置換若しくは非置換アンモニウム（メチルアンモニウム、ジメチルアンモニウム、トリメチルアンモニウム、テトラメチルアンモニウム、ジメチルピペリジニウム等）又はアルカノールアミン（モノエタノールアミン、ジエタノールアミン、トリエタノールアミン等）の誘導体を表わす｝
（特に基ＲがＣ１４〜Ｃ１６であるメチルエステルスルホネートを挙げることができる）；
・式ＲＯＳＯ３Ｍのアルキルサルフェート
（ここで、ＲはＣ５〜Ｃ２４、好ましくはＣ１０〜Ｃ１８アルキル又はヒドロキシアルキル基を表わし、
Ｍは水素原子又は上で定義したカチオンを表わす）
並びにそれらのエトキシレン化（ＥＯ）及び／又はプロポキシレン化（ＰＯ）誘導体（平均して０．５〜３０個、好ましくは０．５〜１０個のＥＯ及び／又はＰＯ単位を有するもの）；
・式ＲＣＯＮＨＲ’ＯＳＯ３Ｍのアルキルアミドサルフェート
（ここで、ＲはＣ２〜Ｃ２２、好ましくはＣ６〜Ｃ２０アルキル基を表わし、
Ｒ’はＣ２〜Ｃ３アルキル基を表わし、
Ｍは水素原子又は上で定義したカチオンを表わす）
並びにそれらのエトキシレン化（ＥＯ）及び／又はプロポキシレン化（ＰＯ）誘導体（平均して０．５〜６０個のＥＯ及び／又はＰＯ単位を有するもの）；
・Ｃ８〜Ｃ２４、好ましくはＣ１４〜Ｃ２０飽和若しくは不飽和脂肪酸の塩、Ｃ９〜Ｃ２０アルキルベンゼンスルホネート、Ｃ８〜Ｃ２２第１若しくは第２アルキルスルホネート、アルキルグリセリルスルホネート、スルホン化ポリカルボン酸（英国特許第１０８２１７９号明細書に記載されたもの）、パラフィンスルホネート、Ｎ−アシル−Ｎ−アルキルタウレート、アルキルホスフェート、イセチオネート、アルキルスクシナメート、アルキルスルホスクシネート、スルホスクシネートモノエスエル若しくはジエステル、Ｎ−アシルサルコシネート、アルキルグリコシドサルフェート、ポリエトキシカルボキシレート｛そのカチオンはアルカリ金属（特にナトリウム、カリウム若しくはリチウム）、置換若しくは非置換アンモニウム（メチルアンモニウム、ジメチルアンモニウム、トリメチルアンモニウム、テトラメチルアンモニウム、ジメチルピリジニウム等）残基又はアルカノールアミン（モノエタノールアミン、ジエタノールアミン、トリエタノールアミン等）の誘導体である｝。
【００５８】
ノニオン性界面活性剤
・５〜２５個のオキシアルキレン単位を含有するポリオキシアルキレン化（特にポリオキシエチレン化、ポリオキシプロピレン化又はポリオキシブチレン化）アルキルフェノール（そのアルキル置換基はＣ６〜Ｃ１２である）（その例としては、Ｒｏｈｍ ＆ Ｈａａｓ Ｃｏ．より販売されているＴｒｉｔｏｎ Ｘ−４５、Ｘ−１１４、Ｘ−１００及びＸ−１０２を挙げることができる）；
・グルコサミド、グルカミド又はグリセロールアミド；
・１〜２５個のオキシアルキレン（特にオキシエチレン及びオキシプロピレン）単位を含有するポリオキシアルキレン化Ｃ８〜Ｃ２２脂肪族アルコール（その例としては、Ｕｎｉｏｎ Ｃａｒｂｉｄｅ Ｃｏｒｐ．から販売されているＴｅｒｇｉｔｏｌ １５−Ｓ−９及びＴｅｒｇｉｔｏｌ ２４−Ｌ−６ ＮＭＷ、Ｓｈｅｌｌ Ｃｈｅｍｉｃａｌ Ｃｏ．から販売されているＮｅｏｄｏｌ ４５−９、Ｎｅｏｄｏｌ ２３−６５、Ｎｅｏｄｏｌ ４５−７及びＮｅｏｄｏｌ ４５−４、並びにＴｈｅ Ｐｒｏｃｔｅｒ ＆ Ｇａｍｂｌｅ Ｃｏ．から販売されているＫｙｒｏ ＥＯＢを挙げることができる）；
・プロピレンオキシドとプロピレングリコールとの縮合から得られた化合物又はエチレンオキシドの縮合から得られた生成物、例えばＢＡＳＦから販売されている「Ｐｌｕｒｏｎｉｃ」製品群；
・プロピレンオキシドとエチレンジアミンとの縮合から得られた化合物又はエチレンオキシドの縮合から得られた生成物、例えばＢＡＳＦから販売されている「Ｔｅｔｒｏｎｉｃ」製品群；
・アミンオキシド、例えば（Ｃ１０〜Ｃ１８アルキル）ジメチルアミンオキシド及び（Ｃ８〜Ｃ２２アルコキシ）エチルジヒドロキシエチルアミンオキシド；
・米国特許第４５６５６４７号明細書に記載されたアルキルポリグリコシド；
・Ｃ８〜Ｃ２０脂肪酸アミド；
・エトキシル化脂肪酸；
・エトキシル化脂肪酸アミド；
・エトキシル化アミン。
【００５９】
両性及びツビッター性界面活性剤
・アルキルジメチルベタイン、アルキルアミドプロピルジメチルベタイン、アルキルトリメチルスルホベタイン及び脂肪酸と蛋白質加水分解生成物との縮合生成物；
・アルキルアンホアセテート又はアルキルアンホジアセテート（ここで、アルキル基は６〜２０個の炭素原子を有する）。
【００６０】
界面活性剤の特性を改善する補助剤（「ビルダー」）を、液状洗剤配合物については約５〜５０重量％、好ましくは約５〜３０重量％、粉末状洗剤配合物については約１０〜８０重量％、好ましくは１５〜５０重量％の量で用いることができる。これらの洗剤補助剤は、以下のようなものである。
【００６１】
無機洗浄補助剤
・ポリリン酸（トリポリリン酸、ピロリン酸、オルトリン酸又はヘキサメタリン酸）アルカリ金属、アンモニウム又はアルカノールアミン塩；
・四ホウ酸塩又はホウ酸塩前駆体；
・ケイ酸塩、特にＳｉＯ２／Ｎａ２Ｏ比約１．６／１〜３．２／１を有するもの及び米国特許第４６６４８３９号明細書に記載された層状ケイ酸塩；
・アルカリ金属又はアルカリ土類金属炭酸塩（重炭酸塩、セスキ炭酸塩）；
・ヨーロッパ特許公開第４８８８６８号公報に記載されたＱ２又はＱ３形態のケイ素原子に富んだ水和アルカリ金属ケイ酸塩とアルカリ金属（ナトリウム又はカリウム）炭酸塩との共粒質物；
・ゼオライトＡ、Ｐ、Ｘ等のような、結晶質又は非晶質アミノケイ酸アルカリ金属（ナトリウム若しくはカリウム）又はアンモニウム塩（約０．１〜１０μｍの粒子寸法のゼオライトＡが好ましい）；
【００６２】
有機洗浄補助剤
・水溶性ポリホスホネート（エタン１−ヒドロキシ−１，１−ジホスホネート、メチレンジホスホネート塩等）；
・カルボン酸ポリマー若しくはコポリマーの水溶性塩又はそれらの水溶性塩、例えば
・・ポリカルボキシレートエーテル（オキシ二コハク酸及びその塩、モノコハク酸タルタレート及びその塩、二コハク酸タルタレート及びその塩）；
・・ヒドロキシポリカルボキシレートエーテル；
・・クエン酸及びその塩、メリット酸、コハク酸及びそれらの塩；
・・ポリ酢酸の塩（エチレンジアミン四酢酸塩、ニトリロ三酢酸塩、Ｎ−（２−ヒドロキシエチル）ニトリロ二酢酸塩）；
・・Ｃ５〜Ｃ２０アルキルコハク酸及びそれらの塩（２−ドデセニルコハク酸塩、ラウリルコハク酸塩）；
・・カルボン酸ポリアセタールエステル；
・・ポリアスパラギン酸、ポリグルタミン酸及びそれらの塩；
・・アスパラギン酸及び／又はグルタミン酸の重縮合から誘導されるポリイミド；
・・グルタミン酸又はその他のアミノ酸のポリカルボキシメチル誘導体。
【００６３】
洗剤配合物にはまた、過酸化合物、好ましくは過酸塩を含む少なくとも１種の酸素放出性漂白剤を含ませることもできる。
【００６４】
前記漂白剤は、洗剤配合物に対して約１重量％〜３０重量％、好ましくは４重量％〜２０重量％に相当する量で存在させることができる。
【００６５】
漂白剤として用いることができる過酸化合物の例としては、特に過ホウ酸ナトリウム一水和物又は四水和物のような過ホウ酸塩；炭酸ナトリウムペルオキシハイドレート、ピロリン酸塩ペルオキシハイドレート、尿素ペルオキシハイドレート、過酸化ナトリウム及び過硫酸ナトリウムのような過酸素化化合物を挙げることができる。
【００６６】
好ましい漂白剤は、過ホウ酸ナトリウム一水和物若しくは四水和物及び／又は炭酸ナトリウムペルオキシハイドレートである。
【００６７】
前記の剤は、洗浄媒体中でその場で洗剤配合物に対して約０．１重量％〜１２重量％、好ましくは０．５重量％〜８重量％に相当する量のペルオキシカルボン酸を生成する漂白活性化剤と組み合わせて用いられるのが一般的である。これらの活性化剤の中では、テトラアセチルエチレンジアミン、テトラアセチルメチレンジアミン、テトラアセチルグリコールウリル、ｐ−アセトキシベンゼンスルホン酸ナトリウム、ペンタアセチルグルコース及びオクタアセチルラクトースを挙げることができる。
【００６８】
また、酸素の存在下で光活性化によって作用する非酸素化漂白剤を挙げることもでき、これらはスルホン化アルミニウム及び／又は亜鉛フタロシアニンのような物質である。
【００６９】
洗剤配合物にはまた、汚れ放出剤、再付着防止剤、キレート化剤、分散剤、蛍光剤、抑泡剤、柔軟仕上げ剤、酵素及び他の様々な添加剤を含ませることもできる。
【００７０】
汚れ放出剤
これらは約０．０１〜１０重量％の量で用いることができ、約０．１〜５重量％の量で用いるのが好ましく、約０．２〜３重量％の量で用いるのがより一層好ましい。
【００７１】
より特定的には、次のようなものを挙げることができる：
・セルロース誘導体、例えばセルロースヒドロキシエーテル、メチルセルロース、エチルセルロース、ヒドロキシプロピルメチルセルロース、ヒドロキシブチルメチルセルロース；
・ポリアルキレン主鎖上にグラフトさせたポリビニルエーテル、例えばポリオキシエチレン主鎖上にグラフトさせたポリ酢酸ビニル（ヨーロッパ特許公開第２１９０４８号公報）；
・ポリビニルアルコール；
・エチレンテレフタレート及び／又はプロピレンテレフタレート単位並びにポリオキシエチレンテレフタレート単位をベースとし、｛エチレンテレフタレート及び／又はプロピレンテレフタレート（単位数）｝／｛ポリオキシエチレンテレフタレート（単位数）｝のモル比約１／１０〜１０／１、好ましくは約１／１〜９／１のポリエステルコポリマー（このポリオキシエチレンテレフタレートは、分子量約３００〜５０００、好ましくは約６００〜５０００を有するポリオキシエチレン単位を含有する）（米国特許第３９５９２３０号、同第３８９３９２９号、同第４１１６８９６号、同第４７０２８５７号及び同第４７７０６６６号の各明細書）；
・エトキシル化アリルアルコール、テレフタル酸ジメチル及び１，２−プロピレンジオールから誘導されるオリゴマーのスルホン化によって得られる、１〜４個のスルホン化基を有するスルホン化ポリエステルオリゴマー（米国特許第４９６８４５１号明細書）；
・プロピレンテレフタレート及びポリオキシエチレンテレフタレート単位をベースとし、エチル若しくはメチル単位を末端基とするポリエステルコポリマー（米国特許第４７１１７３０号明細書）、又はアルキルポリエトキシ基（米国特許第４７０２８５７号明細書）若しくはスルホポリエトキシ（米国特許第４７２１５８０号明細書）若しくはスルホアロイル（米国特許第４８７７８９６号明細書）アニオン性基を末端基とするポリエステルオリゴマー；
・テレフタル酸、イソフタル酸及びスルホイソフタル酸、酸無水物又はジエステルとジオールとから誘導されるスルホン化ポリエステルコポリマー（フランス国特許第２７２０３９９号明細書）。
【００７２】
再付着防止剤
これらは一般的に、粉末状洗剤配合物については約０．０１〜１０重量％、液状洗剤配合物については約０．０１〜５重量％の量で用いることができる。
【００７３】
特に次のようなものを挙げることができる：
・エトキシル化モノアミン又はポリアミン、及びエトキシル化アミンポリマー（米国特許第４５９７８９８号明細書及びヨーロッパ特許公開第１１９８４号公報）；
・カルボキシメチルセルロース；
・イソフタル酸とスルホコハク酸ジメチルとジエチレングリコールとの縮合によって得られるスルホン化ポリエステルオリゴマー（フランス国特許第２２３６９２６号明細書）。
・ポリビニルピロリドン類。
【００７４】
キレート化剤
鉄及びマンガンをキレート化するための添加剤を、約０．１〜１０重量％、好ましくは約０．１〜３重量％の量で存在させることができる。
【００７５】
特に次のものを挙げることができる：
・アミノカルボキシレート、例えばエチレンジアミン四酢酸塩、ヒドロキシエチルエチレンジアミン三酢酸塩及びニトリロ三酢酸塩；
・アミノホスホネート、例えばニトリロトリス（メチレンホスホネート）；
・多官能性芳香族化合物、例えばジヒドロキシジスルホベンゼン。
【００７６】
ポリマー系分散剤
これらは、カルシウム及びマグネシウム硬度を調節するために、約０．１〜７重量％の量で存在させることができる。これらは例えば次のようなものである：・アクリル酸、マレイン酸若しくは酸無水物、フマル酸、イタコン酸、アコニット酸、メサコン酸、シトラコン酸又はメチレンマロン酸のようなエチレン性不飽和カルボン酸の重合又は共重合によって得られる分子量約２０００〜１０００００の水溶性ポリカルボン酸塩、特に分子量約２０００〜１００００のポリアクリレート（米国特許第３３０８０６７号明細書）及びアクリル酸と無水マレイン酸との分子量約５０００〜７５０００のコポリマー（ヨーロッパ特許公開第６６９１５号公報）；
・分子量約１０００〜５００００のポリエチレングリコール。
【００７７】
蛍光剤（増白剤）
これらは、約０．０５〜１．２重量％の量で存在させることができ、例えば次のようなものである：
・スチルベン、ピラゾリン、クマリン、フマル酸、桂皮酸、アゾール類、メチンシアニン類、チオフェン類等の誘導体｛Ｍ． Ｚａｈｒａｄｎｉｋ著の「蛍光増白剤の製造及び用途（Ｔｈｅ Ｐｒｏｄｕｃｔｉｏｎ ａｎｄ Ａｐｐｌｉｃａｔｉｏｎ ｏｆ Ｆｌｕｏｒｅｓｃｅｎｔ Ｂｒｉｇｈｔｅｎｉｎｇ Ａｇｅｎｔｓ）」、米国ニューヨーク州所在のジョン・ウィリー・アンド・サンズ（Ｊｏｈｎ Ｗｉｌｅｙ ａｎｄ Ｓｏｎｓ）発行、１９８２年｝。
【００７８】
抑泡剤
これらは５重量％までの範囲であってよい量で存在させることができ、次のようなものである：
・Ｃ１０〜Ｃ２４脂肪族モノカルボン酸又はそれらのアルカリ金属、アンモニウム若しくはアルカノールアミン塩、及び脂肪酸トリグリセリド；
・飽和又は不飽和脂肪族、脂環式、芳香族又は複素環式炭化水素、例えばパラフィン及びワックス類；
・Ｎ−アルキルアミノトリアジン；
・モノステアリルホスフェート及びモノステアリルアルコールホスフェート；
・ポリオルガノシロキサンオイル又は樹脂（随意にシリカ粒子と組み合わされたもの）。
【００７９】
柔軟仕上げ剤
これらは約０．５〜１０重量％の量で存在させることができ、例えばクレーである。
【００８０】
酵素
これらは洗剤配合物１ｇ当たりに活性酵素５ｍｇまで、好ましくは約０．０５〜３ｍｇの範囲であってよい量で存在させることができ、例えば次のような酵素である：
・プロテアーゼ、アミラーゼ、リパーゼ、セルラーゼ及びペルオキシダーゼ（米国特許第３５５３１３９号、同第４１０１４５７号、同第４５０７２１９号、同第４２６１８６８号の各明細書）。
【００８１】
その他の添加剤
他にもあるが特に次のものを挙げることができる：
・緩衝剤。
・香料。
・顔料。
【００８２】
洗剤配合物は、特に洗濯機中では、約２５〜９０℃の温度において作業を実施するためには、０．５ｇ／リットル〜２０ｇ／リットル、好ましくは２ｇ／リットル〜１０ｇ／リットルの割合で用いることができる。
【００８３】
処理用組成物が布類の濯ぎ及び／又は柔軟仕上げ用の水性液体配合物から成る場合には、これは０．２〜１０ｇ／リットル、好ましくは２〜１０ｇ／リットルの割合で用いることができる。濯ぎ／柔軟仕上げ操作は、周囲温度において実施することができる。
【００８４】
ポリマー（Ｐ）のナノ粒子又はナノラテックスと共に、次のもののようなタイプのその他の成分を存在させることができる：
・カチオン性界面活性剤（硫酸ジメチルで第四級化されたトリエタノールアミンジエステル、Ｎ−メチルイミダゾリンタローエステルメチルサルフェート、ジアルキルジメチルアンモニウムクロリド、アルキルベンジルジメチルアンモニウムクロリド、メチルアルキルイミダゾリニウムサルフェート、メチルメチルビス（アルキルアミドエチル）−２−ヒドロキシエチルアンモニウムサルフェート等）：その量は前記配合物の３％〜５０％、好ましくは４％〜３０％の範囲であってよく、これは随意にノニオン性界面活性剤（エトキシル化脂肪族アルコール、エトキシル化アルキルフェノール等）（その量は３％までであってよい）と組み合わされていてよい；
・蛍光増白剤（０．１％〜０．２％）；
・随意としての色移り防止剤（ポリビニルピロリドン、ポリビニルオキサゾリドン、ポリメタクリルアミド等０．０３％〜２５％、好ましくは０．１％〜１５％）；
・着色剤；
・芳香剤；
・溶剤、特にアルコール（メタノール、エタノール、プロパノール、イソプロパノール、エチレングリコール又はグリセロール）；
・抑泡剤。
【００８５】
処理用組成物が好適なドラム式乾燥機中での布類乾燥用の添加剤から成る場合、この添加剤は、例えば織若しくは不織布又はセルロースシートのストリップから成る柔軟な固体支持体にポリマー（Ｐ）のナノ粒子を含ませたもの又はポリマー（Ｐ）のナノラテックスを含浸させたものから成る。この添加剤は、ドラム乾燥を行う時に導入され、その状態で湿った布類を５０〜８０℃の温度において１０〜６０分間乾燥させる。
【００８６】
この添加剤にはまた、上に挙げたようなカチオン性柔軟仕上げ剤（９９％で）及び色移り防止剤（８０％まで）を含ませることもできる。
【００８７】
別のタイプの処理用組成物は、アイロン掛けの前に乾いた布類に直接スプレーすることができるアイロン掛け用配合物から成る。
【００８８】
この配合物にはまた、シリコーン系ポリマー（０．２％〜５％）、ノニオン性界面活性剤（０．５％〜５％）若しくはアニオン性界面活性剤（０．５％〜５％）、芳香剤（０．１％〜３％）又はセルロース誘導体（０．１％〜３％）、例えば澱粉を含ませることもできる。この配合物を布類にスプレーすることによって、布類をより容易にアイロン掛けすることができるようになり、着た時の布類のしわが抑えられる。
【００８９】
別のタイプの処理用組成物は、水性分散体又は固体（スティック）の形の事前しみ抜き剤から成る。
【００９０】
ポリマー（Ｐ）のナノ粒子又はナノラテックスと共に、次のようなタイプのその他の成分を存在させることができる：
・上に挙げたもののようなアニオン性界面活性剤（組成物の少なくとも５重量％の量）；
・上に挙げたもののようなノニオン性界面活性剤（組成物の１５〜４０重量％の範囲であってよい量）：
・脂肪族炭化水素（組成物の５〜２０重量％の範囲であってよい量）。
【００９１】
本発明の第２の主題は、水性媒体又は湿った媒体中に不溶性の少なくとも１種のポリマー（Ｐ）のナノ粒子又はナノラテックスを含む組成物で水性媒体又は湿った媒体中で布類を処理することによる、布類に防しわ特性を与えるため及び／又は布類のアイロン掛けを容易にするための方法から成る。
【００９２】
組成物のタイプ、ポリマー（Ｐ）の量、存在させることができるその他の添加剤及び採用される作業条件は、すでに上で述べた通りである。
【００９３】
本発明の別の主題は、ポリマー（Ｐ３）から選択される少なくとも１種のポリマー（Ｐ）のナノ粒子又は少なくとも１種のポリマー（Ｐ）の少なくとも１種のナノラテックスを含む、布類アイロン掛け用水性配合物、布類ドラム乾燥用添加剤、布類洗浄用洗剤配合物及び布類洗浄用添加剤から成る。ポリマー（Ｐ３）の量及び存在させることができるその他の添加剤は、すでに上で述べた通りである。
【００９４】
本発明に従うポリマーナノ粒子又はナノラテックスの直径は、光散乱又は透過電子顕微鏡によってよく知られた態様で測定することができる。
【００９５】
以下の実施例は、本発明を例示するためのものである。
【００９６】
本発明の実施例において配合物を調製するために用いたポリマー（Ｐ）ラテックスは、次のラテックス（Ｉ）及び（ＩＩ）である。
【００９７】
ラテックス（Ｉ）：
メタクリル酸メチル／アクリル酸ブチル／メタクリル酸ヒドロキシエチル／メタクリル酸／Ｎ，Ｎ−ジメチル−Ｎ−メタクリロイルオキシエチル−Ｎ−（３−スルホプロピル）アンモニウムスルホベタイン（ＲａｓｃｈｉｇからのＳＰＥ）のラテックスであり、各種モノマーの質量比は４２．３／３５．４／１５．８／４．２／２．２であり、そのガラス転移温度Ｔｇは約４１℃であり、その平均粒子寸法は約３５〜４５ｎｍであり、固体含有率は約３０％である。
【００９８】
ラテックス（ＩＩ）：
メタクリル酸メチル／アクリル酸ブチル／メタクリル酸ヒドロキシエチル／メタクリル酸のラテックスであり、各種モノマーの質量比は３７／５５／５／３であり、そのガラス転移温度Ｔｇは約１７℃であり、平均粒子寸法は約３０〜３５ｎｍであり、固体含有率は約３０％である。
【００９９】
例１
洗剤配合物
【表２】
2004512431.tif 000003
【０１００】
洗浄操作は、洗剤組成物配合業の専門家によく知られているターゴメーター（Ｔｅｒｇｏｔｏｍｅｔｅｒ）実験室装置を用いて実施する。この装置は、脈動タイプのアメリカ式洗濯機の機械的及び熱的作用をシミュレートし、しかし６つの洗濯ドラムが存在することによって一連の試験を同時に実施することが可能であり、時間をかなり節約することができるものである。
【０１０１】
仕上げ前の綿から２５×２５ｃｍの試験片を切り取る。これらの綿の試験片を最初に洗浄前にそれら全部のしわが同程度になるようにアイロン掛けをする。
【０１０２】
次いでそれらを、ラテックス（Ｉ）を含有する前記洗剤配合物を用いて、次の条件下で洗浄し、一度濯ぐ：
・ターゴメーターのドラム当たりの試験片の数：２
・水の容量：１リットル
・Ｃｏｎｔｒｅｘｅｖｉｌｌｅ（登録商標）ブランドのミネラルウォーターで適宜希釈することによって得られるフランス式硬度３０°ＴＨの水
・洗浄用物質濃度：５ｇ／リットル
・洗浄温度：４０℃
・洗浄時間：２０分間
・ターゴメーターの回転速度：１００ｒｐｍ
・冷水（約３０°ＴＨ）による濯ぎ
・濯ぎ時間：５分間。
【０１０３】
次いで試験片を３ｋｇのプレス下で２０秒間しわ付与処理に付し、その後にそれらを垂直の状態で一晩乾燥させる。
【０１０４】
ラテックス（Ｉ）を含有しないこと以外は同じ洗剤配合物を用いて同じ操作を実施する。
【０１０５】
次いで乾いた試験片のデジタルカラー写真を撮り、次いでそれを２５６グレースケールレベルに変換する（０〜２５５のグレースケール）。
各グレースケールレベルに対応するピクセル数をカウントする。
【０１０６】
得られたそれぞれのヒストグラムについて、グレースケールレベルの分布の標準偏差σを決定する。
σ１はラテックスを含有しない洗剤配合物について得られた標準偏差に相当する。
σ２はラテックス（Ｉ）を含有する洗剤配合物について得られた標準偏差に相当する。
【０１０７】
式Δσ＝σ２−σ１によって性能値が与えられる。
【０１０８】
得られた性能値は次の通りである。
【表３】
2004512431.tif 000004
【０１０９】
これらの正の値−Δσは、本発明に従うラテックスを含む洗剤配合物によって防しわ特性がもたらされることを表わしている。
【０１１０】
例２
【表４】
2004512431.tif 000005
【国際公開パンフレット】
2004512431.tif 000006
2004512431.tif 000007
2004512431.tif 000008
2004512431.tif 000009
2004512431.tif 000010
2004512431.tif 000011
2004512431.tif 000012
2004512431.tif 000013
2004512431.tif 000014
2004512431.tif 000015
2004512431.tif 000016
2004512431.tif 000017
2004512431.tif 000018
2004512431.tif 000019
2004512431.tif 000020
2004512431.tif 000021
2004512431.tif 000022
2004512431.tif 000023
2004512431.tif 000024
2004512431.tif 000025
2004512431.tif 000026
2004512431.tif 000027
2004512431.tif 000028
2004512431.tif 000029
2004512431.tif 000030
2004512431.tif 000031
2004512431.tif 000032
2004512431.tif 000033
2004512431.tif 000034
2004512431.tif 000035
2004512431.tif 000036
【国際公開パンフレット（コレクトバージョン）】
2004512431.tif 000037
【国際調査報告】
2004512431.tif 000038
2004512431.tif 000039
2004512431.tif 000040
2004512431.tif 000041
2004512431.tif 000042
2004512431.tif 000043
2004512431.tif 000044
2004512431.tif 000045
2004512431.tif 000046
2004512431.tif 000047
2004512431.tif 000048
2004512431.tif 000049